(57)【要約】【課題】高粘度の液状化粧品であっても吐出量の調節が容易であり、さらに内部に空気が入り込まない容器を提供する。【解決手段】容器１は、透明な合成樹脂により形成され液状の化粧品Ｃが収納される外筒２と、外筒２内を摺動するプランジャ３とを備え、外観が大略注射器形となっている。外筒２の先端部は吐出口２ａとなっており、この吐出口２ａには蓋部材４が取り付けられる。プランジャ３の先端部にはガスケット５が係合されている。本発明の容器１は、注射器形となっており、従来のポンプ式の吐出容器のようにチェックボール等の弁機構等を介さずに吐出させることができるため、粘性の高い化粧品であっても小さい力で吐出させることができる。また、プランジャ３が外筒２に対して後方に引かれた場合、プランジャ３がガスケット５から離反されるため、吐出口２ａの先端から外筒２内に空気が入り込まない。【選択図】  図１
2005237780.tif 000002
【特許請求の範囲】
【請求項１】
先端部に吐出口を有し後端部が開放され内部に液状の化粧品が収納される外筒と、先端部にガスケットが係合され前記外筒の後方から内部に挿入されるプランジャと、前記吐出口に開閉自在に装着される蓋部材とを備え、
前記プランジャは、前記外筒に対して後方に引かれたときは前記ガスケットから離反するように前記ガスケットに係合されていることを特徴とする化粧品用容器。
【請求項２】
前記外筒の吐出口は、その外周部から突出し注射器に接続される医療用具の装着を阻止する鍔部を備えていることを特徴とする請求項１に記載の化粧品用容器。
【請求項３】
前記蓋部材は前記外筒に固定される固定部と、前記吐出口を開閉する閉塞部と、前記固定部と前記閉塞部とを連結する連結部とを有し、前記固定部に前記吐出口の鍔部に係合する係合凹部が設けられ、前記係合凹部が前記鍔部に係合されて前記外筒に固定されていることを特徴とする請求項２に記載の化粧品用容器。
【発明の詳細な説明】
【技術分野】
【０００１】
本発明は、液状の化粧品を収納する化粧品用容器に関する。
【背景技術】
【０００２】
液状の化粧品等の内容物を収納する化粧品用容器としては、特許文献１に開示されたポンプ式の吐出容器が知られている。当該特許文献１に開示された吐出容器は、ポンプ作用により内容物を吐出させるものである。内容物を吐出させる際は、容器内の内容物がチェックボール等の弁機構、シリンダ、及びシリンダよりも小径のポンピングピストン内を通って吐出ノズルから吐出される。このようなポンプ式の吐出容器では、内容物の粘性が低い場合はポンプを作動させる力も小さく、吐出量の調節も容易である。また、内容物が吐出されると、容器の内部に摺動自在に設けられたフリーピストンが下降するため、容器内に空気が入らず、内容物が空気に触れないようになっている。
【０００３】
ところが、このようなポンプ式の吐出容器では、内容物の粘性が高くなると、ポンプを作動させる際に大きな力を必要とし、大きな力でポンプを作動させるために勢い余って必要以上の内容物を吐出させるおそれがあった。このように、従来のポンプ式の容器は粘性の高い内容物に向いておらず、吐出量の調節も容易ではなかった。
【０００４】
一方、粘性の高い内容物を吐出させる容器としては、歯磨き粉等の収納に用いられているチューブ式の容器が広く知られている。このようなチューブ式の容器では、内容物はチューブ自体を押しつぶして先端に設けられた吐出口から内容物を押し出すものであるため、内容物の粘性が高くても容易に内容物を吐出させることができ、吐出量の調節も容易である。しかしながら、このようなチューブ式の容器は、キャップを開けた状態にしておくと、チューブ自体の弾性で押しつぶされた箇所が元に戻り、その際吐出口から空気を吸い込んでしまって容器内に空気が入り、内容物が空気に触れてしまうおそれがある。
【特許文献１】特開平５−３１９４６６号公報
【発明の開示】
【発明が解決しようとする課題】
【０００５】
本発明は、化粧品用の容器の改良を目的とし、さらに詳しくは前記不都合を解消するために、高粘度の液状化粧品であっても吐出量の調節が容易であり、さらに内部に空気が入り込むことがない容器を提供することを目的とする。
【課題を解決するための手段】
【０００６】
前記目的を達成するために、本発明の化粧品用容器は、先端部に吐出口を有し後端部が開放され内部に液状の化粧品が収納される外筒と、先端部にガスケットが係合され前記外筒の後方から内部に挿入されるプランジャと、前記吐出口に開閉自在に装着される蓋部材とを備え、前記プランジャは、前記外筒に対して後方に引かれたときは前記ガスケットから離反するように前記ガスケットに係合されていることを特徴とする。
【０００７】
本発明の化粧品用容器によれば、前記蓋部材が開いた状態で前記プランジャを前方に押し込むと前記外筒の内部に収納された液状の化粧品が前記吐出口より吐出される。このように本発明の化粧品用容器では、前記プランジャの押込により化粧品が押し出されるので、従来のポンプ式の容器のように弁機構や細い通路を介さずに化粧品が吐出されるため、化粧品を吐出させるための力が少なくて済み、吐出量の調節も容易となる。また、前記プランジャを押していない状態で放置した場合であっても、前記プランジャは前記外筒に対して移動しないため、前記外筒の内部に空気は侵入しない。また、誤ってプランジャを外筒に対して後方に引いてしまった場合であっても、前記プランジャが前記ガスケットから外れるので、前記ガスケットは後方には移動しない。従って、本発明の化粧品用容器によれば、外筒内に空気が進入することがない。
【０００８】
また、本発明の化粧品用容器においては、前記外筒の吐出口に、その外周部から突出し注射器に接続される医療用具の装着を阻止する鍔部を備えていることが好ましい。本発明の化粧品用容器は、外筒とプランジャとを備えているため、前記吐出口に注射針等を装着すれば注射器になる。しかしながら、内容物は化粧品であるため、使用者が誤って使用しないように注射器に接続される医療用具の装着を阻止する鍔部を設けてこれらの用具が装着されないようにしている。
【０００９】
また、前記蓋部材は前記外筒に固定される固定部と、前記吐出口を開閉する閉塞部と、前記固定部と前記閉塞部とを連結する連結部とを有しているときは、前記固定部に前記吐出口の鍔部に係合する係合凹部を設け、前記係合凹部が前記鍔部に係合されて前記外筒に固定されるようにすることが好ましい。このような構成とすることにより、前記鍔部を利用して前記蓋部材の固定部を前記吐出口に固定させることができる。このため、前記固定部を前記吐出口に固定するために接着等を行う必要がない。また、前記蓋部材は、前記連結部により前記外筒に連結されているため、蓋部材の開け閉めを行っても蓋部材を紛失するおそれがない。
【発明を実施するための最良の形態】
【００１０】
次に、本発明の化粧品用容器の実施形態の一例について、図１乃至図３を参照して説明する。本実施形態の容器１は、図１に示すように外観が注射器のようになっており、液状の化粧品Ｃが収納される外筒２と、外筒２内を摺動するプランジャ３とを備えている。外筒２の先端部は吐出口２ａとなっており、この吐出口２ａには蓋部材４が取り付けられている。また、プランジャ３の先端部にはガスケット５が係合されている。外筒２及びプランジャ３は透明な合成樹脂、蓋部材４は可撓性を有する合成樹脂、ガスケット５はゴムにより形成されている。
【００１１】
外筒２は、大略円筒状であり、前方部分（図１では右側）に縮径された吐出口２ａが形成され、後方部分（図１では左側）は開放された形状となっている。また、吐出口２ａの先端部にはその外周部分から外方に突出する鍔部２ｂが設けられている。本実施形態の外筒２の形状は、従来から医療用に用いられている注射器の外筒と大略共通しているが、吐出口２ａの先端部に鍔部２ｂが設けられている点が異なる。この鍔部２ｂは、注射針や混注管等の医療用具が装着できないような形状となっている。
【００１２】
注射針等の医療用具は、一般の注射器の先端部に設けられたテーパ面に嵌合するタイプや、注射器の先端部に設けられた雄ネジ部に螺着される雌ねじ部を有するタイプがある。本実施形態の外筒２は、これらの各タイプの医療用具が装着されないように、鍔部２ｂの外周をねじ部を設けることなく外方に突出させている。また、注射器の外筒はガラス製がほとんどであるが、本実施形態の外筒２は透明な合成樹脂製となっている。このため、本実施形態の容器１は、搬送時や使用時に誤って床等に落下させてしまった場合でも破損するおそれがない。
【００１３】
蓋部材４は、外筒２の吐出口２ａに固定される筒状の固定部４ａと、固定部４ａから延びる湾曲自在の棒状の連結部４ｂと、連結部４ｂの先端部に形成され連結部４ｂの先端及び吐出口２ａの先端部を覆う閉塞部４ｃとを備えている。固定部４ａには、吐出口２ａの鍔部２ｂと係合する係合凹部４ｄが形成されている。この蓋部材４を外筒２に装着する際には、吐出口２ａの鍔部２ｂを越えて固定部４ａを差し込み、固定部４ａの係合凹部４ｄと固定部４ａの鍔部２ｂとが係合するように装着する。これにより、蓋部材４の固定部４ａは外筒２の吐出口２ａに抜け止めされて装着される。
【００１４】
蓋部材４により外筒２の吐出口２ａを閉塞するときは、図１に示すように閉塞部４ｃを固定部４ａの先端部に装着する。これにより、外筒２の内部の化粧品Ｃが外気から遮断される。一方、使用者が外筒２内の化粧品Ｃを使用する際には、閉塞部４ｃを固定部４ａから取り外して吐出口２ａを外部に露出させる。このとき、閉塞部４ｃは連結部４ｂによって固定部４ａに連結されているので、外筒２から離れることがないため紛失するおそれがない。特に、本実施形態の容器１のように内容物が化粧品Ｃであるときは、使用者によって使用される頻度が高いので閉塞部４ｃが開閉される頻度も高いが、上記構成によって閉塞部４ｃが紛失するおそれがないので、外筒２の内部の化粧品を確実に外気から遮断することができる。
【００１５】
プランジャ３は、大略円筒状に形成され、外筒２の内部を前後方向に摺動自在となっている。また、その先端部にはガスケット５を係合させるための突出部３ａが設けられており、この突出部３ａの先端には外周方向に大径となった大径部３ｂが設けられている。ガスケット５は、大略円筒状に形成され、外筒２の内周面と液密に接触し、外筒２の内部を前後方向に摺動自在となっている。また、ガスケット５には、後方に向けて開放された係合穴５ａが設けられ、係合穴５ａの先端部にはプランジャ３の突出部３ａの大径部３ｂが係合される係合溝５ｂが設けられている。そして、ガスケット５の係合穴５ａにプランジャ３の突出部３ａが挿入され、係合穴５ａの係合溝５ｂに突出部３ａの大径部３ｂが係合されることにより、プランジャ３とガスケット５とが一体に連結される。
【００１６】
ここで、大径部３ｂの外径は突出部３ａの他の部分の外径に比べてさほど大きくなっておらず、係合溝５ｂの深さも浅くなっている。従って、プランジャ３にガスケット５を装着した状態からそれぞれを離反させる方向に引っ張ると、プランジャ３からガスケット５が分離されるようになっており、その係合力は弱いものとなっている。
【００１７】
本実施形態の容器１は、上記構成となっているため、使用者が外筒２内に収納された化粧品Ｃを使用するときは、まず、蓋部材４の閉塞部４ｃを開けて吐出口２ａを外部に露出させ、その上でプランジャ３を前方に押し出す。するとプランジャ３により押し出された分だけ吐出口２ａから化粧品Ｃが吐出される。このとき、吐出口２ａの内部にはチェックボール等の障害物がないため、粘度の高い化粧品Ｃであっても使用者は小さい力で容易に吐出させることができる。また、従来のポンプ式の容器のように力を入れる必要がないため、勢い余って不要な量まで吐出させることがない。従って、本実施形態の容器１によれば、化粧品Ｃの吐出量の調節も容易となる。
【００１８】
使用者は、化粧品Ｃを吐出させた後は、蓋部材４の閉塞部４ｃを固定部４ａに装着することで吐出口２ａを閉塞することができる。また、固定部４ａは連結部４ｂ及び固定部４ａにより外筒２に装着されているため、閉塞部４ｃを紛失することがない。これにより、内部の化粧品Ｃが外気にさらされるのを確実に防止することができる。
【００１９】
一方、蓋部材４の閉塞部４ｃが空いている状態で、使用者が誤ってプランジャ３を後方に引っ張ってしまった場合、通常の注射器であれば吐出口２ａから空気が外筒２の内部に侵入してしまう。しかしながら、本実施形態の容器１では、プランジャ３とガスケット５との係合力は弱いものとなっているため、プランジャ３が後方に引っ張っられると、プランジャ３の突出部３ａがガスケット５の係合穴５ａから外れるため、吐出口２ａから外筒２内に空気が入ることがない。
【００２０】
また、吐出口２ａの先端部には鍔部２ｂが設けられているため、注射針や混注管等の医療用具の接続をすることができない。従って、何らかの原因で本実施形態の容器１が医療現場等に紛れ込んだ場合であっても、本実施形態の容器１が誤って使用されるおそれがない。
【図面の簡単な説明】
【００２１】
【図１】本発明の実施形態の一例である化粧品用容器の断面図。
【図２】蓋を開けた状態の化粧品用容器の要部拡大断面図。
【図３】プランジャが後方に引かれた状態を示す化粧品用容器の要部拡大断面図。
【符号の説明】
【００２２】
１…化粧品用容器、２…外筒、３…プランジャ、４…蓋部材、５…ガスケット。
【図１】
2005237780.tif 000003
【図２】
2005237780.tif 000004
【図３】
2005237780.tif 000005